(57)【要約】【課題】システムの認証結果を入退場するユーザに気づかせることができるタッチレスゲートシステムを提供する。【解決手段】開閉可能なゲートと、予め定められた第１領域にビーム識別情報を含む周波数ビームを照射するビーム照射装置と、ユーザが所持する通信端末と通信する通信装置とを備え、通信装置は、第１領域に照射された周波数ビームを受信した前記通信端末から、周波数ビームに含まれているビーム識別情報と、通信端末に記憶された端末情報とを受信する情報受信部と、端末情報に基づいてユーザを認証する第１認証部と、ユーザの認証結果を通信端末に通知する通知部と、ユーザの認証結果に応じてゲートの開閉を制御するゲート制御部とを有する、タッチレスゲートシステムを提供する。【選択図】図１
2020135803.tif 000002
【特許請求の範囲】
【請求項１】
開閉可能なゲートと、
予め定められた第１領域にビーム識別情報を含む周波数ビームを照射するビーム照射装置と、
ユーザが所持する通信端末と通信する通信装置と
を備え、
前記通信装置は、
前記第１領域に照射された周波数ビームを受信した前記通信端末から、前記周波数ビームに含まれているビーム識別情報と、前記通信端末に記憶された端末情報とを受信する情報受信部と、
前記端末情報に基づいて前記ユーザを認証する第１認証部と、
前記ユーザの認証結果を前記通信端末に通知する通知部と、
前記ユーザの認証結果に応じて前記ゲートの開閉を制御するゲート制御部と
を有する、
タッチレスゲートシステム。
【請求項２】
前記ゲートは、前記ユーザが提示する被認証アイテムに含まれている被認証情報を取得する情報取得部を有し、
前記通信装置は、前記被認証情報に基づいて前記ユーザを認証する第２認証部を更に備え、
前記ゲート制御部は、前記第１認証部および前記第２認証部の認証結果に基づき、前記ゲートの開閉を制御する、
請求項１に記載のタッチレスゲートシステム。
【請求項３】
前記ユーザの認証結果を表示する第１表示装置を更に備え、
前記ゲート制御部は、前記ユーザの認証結果を前記第１表示装置に送信する、
請求項２に記載のタッチレスゲートシステム。
【請求項４】
前記第２認証部の認証結果を表示する第２表示装置を更に備え、
前記ゲート制御部は、前記第２認証部の認証結果を前記第２表示装置に送信する、
請求項３に記載のタッチレスゲートシステム。
【請求項５】
前記第２表示装置は、前記第１表示装置よりも前記ゲートの出口に近い位置に設けられている、請求項４に記載のタッチレスゲートシステム。
【請求項６】
前記情報取得部は、前記ゲートの入口および出口の間に設けられており、
前記ビーム照射装置は、前記情報取得部よりも前記ゲートの入口に近い領域を含む前記第１領域に前記周波数ビームを照射する、
請求項２から５のいずれか一項に記載のタッチレスゲートシステム。
【請求項７】
前記第２認証部は、前記ユーザの認証結果を前記第１認証部に送信し、
前記第１認証部は、
前記ユーザの通行を許可する認証をしていない場合、前記第２認証部から受け取った前記ユーザの認証結果を前記ゲート制御部に送信し、
既に前記ユーザの通行を許可する認証をしている場合、前記第２認証部から受け取った前記ユーザの認証結果を破棄する、
請求項２から６のいずれか一項に記載のタッチレスゲートシステム。
【請求項８】
前記第１認証部は、前記ユーザの通行を許可する認証結果を前記ゲート制御部に送信した場合、前記第２認証部に前記ユーザの認証を完了したことを通知し、
前記第２認証部は、前記ユーザの認証完了の通知を受け取ったことに応じて、前記ユーザの認証結果の前記第１認証部への供給を停止する、
請求項２から７のいずれか一項に記載のタッチレスゲートシステム。
【請求項９】
前記ゲート制御部は、前記第１認証部による前記ユーザの認証結果に応じて前記ゲートを開放した場合、前記第２認証部に前記ゲートを開放したことを通知し、
前記第２認証部は、前記ユーザの認証結果の通知の停止中に、前記ゲートを開放した通知を受け取ると、前記ユーザの認証結果の通知の停止を解除する、
請求項８に記載のタッチレスゲートシステム。
【請求項１０】
予め定められた第１領域に照射された周波数ビームを受信したユーザの通信端末から、前記周波数ビームに含まれているビーム識別情報と、前記通信端末に記憶された端末情報とを受信する情報受信部と、
前記端末情報に基づいて前記ユーザを認証する第１認証部と、
前記ユーザの認証結果に応じて開閉可能なゲートの開閉を制御するゲート制御部と、
前記ユーザの認証結果を前記通信端末に通知する通知部と
を備える、
通信装置。
【請求項１１】
予め定められた第１領域にビーム識別情報を含む周波数ビームを照射するステップと、
前記第１領域に照射された周波数ビームを受信したユーザが所持する通信端末から、前記周波数ビームに含まれているビーム識別情報と、前記通信端末に記憶された端末情報とを受信するステップと、
前記端末情報に基づいて前記ユーザを認証するステップと、
前記ユーザの認証結果を前記通信端末に通知するステップと、
前記ユーザの認証結果に応じて開閉可能なゲートの開閉を制御するステップと
を備える、
タッチレスゲートの認証方法。
【発明の詳細な説明】
【技術分野】
【０００１】
本発明は、タッチレスゲートシステム、通信装置、およびタッチレスゲートの認証方法に関する。
【背景技術】
【０００２】
第３世代パートナーシッププロジェクト（３ＧＰＰ）において、第５世代（ＮＲ：Ｎｅ
ｗ  Ｒａｄｉｏ）の通信システムの検討が行われている（非特許文献１参照）。このようなＮＲの検討には、第４世代よりも高い周波数帯を含むビームマネージメント・レポーティングに関する仕様が策定されている（非特許文献２、３参照）。第４世代よりも高い周波数帯のビームは、比較的限られた範囲内に伝播するので、局所的な領域でサービスを提供するシステムへの応用が考えられる。特に、ユーザが所持する通信端末を用いることで、特定の通路、領域、施設等にタッチレスで入退場するシステム等への応用が望まれている。
【先行技術文献】
【非特許文献】
【０００３】
【非特許文献１】ＲＰ−１７２１１５，“Ｒｅｖｉｓｅｄ  ＷＩＤ  ｏｎ  Ｎｅｗ  Ｒａｄｉｏ  Ａｃｃｅｓｓ  Ｔｅｃｈｎｏｌｏｇｙ”
【非特許文献２】ＴＳ３８．３３１，“ＮＲ；  Ｒａｄｉｏ  Ｒｅｓｏｕｒｃｅ  Ｃｏｎｔｒｏｌ（ＲＲＣ）  ｐｒｏｔｏｃｏｌ  ｓｐｅｃｉｆｉｃａｔｉｏｎ”
【非特許文献３】ＴＳ３８．２１４，“ＮＲ；  Ｐｈｙｓｉｃａｌ  ｌａｙｅｒ  ｐｒｏｃｅｄｕｒｅｓ  ｆｏｒ  ｄａｔａ”
【発明の概要】
【発明が解決しようとする課題】
【０００４】
このようなタッチレスで入退場するシステムは、例えば、ユーザが通行を許可する情報等を記憶した通信端末を所持して通路を歩くだけで、通路上のゲート等を通過できることが望ましい。この場合、ユーザは通路を移動するだけなので、システムに自身が認証されたか否かを確認することが困難になることがあった。
【０００５】
そこで、本発明はこれらの点に鑑みてなされたものであり、タッチレスで入退場するシステムにおいて、システムの認証結果を入退場するユーザに気づかせることができるようにすることを目的とする。
【課題を解決するための手段】
【０００６】
本発明の第１の態様においては、開閉可能なゲートと、予め定められた第１領域にビーム識別情報を含む周波数ビームを照射するビーム照射装置と、ユーザが所持する通信端末と通信する通信装置とを備え、前記通信装置は、前記第１領域に照射された周波数ビームを受信した前記通信端末から、前記周波数ビームに含まれているビーム識別情報と、前記通信端末に記憶された端末情報とを受信する情報受信部と、前記端末情報に基づいて前記ユーザを認証する第１認証部と、前記ユーザの認証結果を前記通信端末に通知する通知部と、前記ユーザの認証結果に応じて前記ゲートの開閉を制御するゲート制御部とを有する、タッチレスゲートシステムを提供する。
【０００７】
前記ゲートは、前記ユーザが提示する被認証アイテムに含まれている被認証情報を取得する情報取得部を有し、前記通信装置は、前記被認証情報に基づいて前記ユーザを認証する第２認証部を更に備え、前記ゲート制御部は、前記第１認証部および前記第２認証部の認証結果に基づき、前記ゲートの開閉を制御してもよい。
【０００８】
前記タッチレスゲートシステムは、前記ユーザの認証結果を表示する第１表示装置を更に備え、前記ゲート制御部は、前記ユーザの認証結果を前記第１表示装置に送信してもよい。
【０００９】
前記タッチレスゲートシステムは、前記第２認証部の認証結果を表示する第２表示装置を更に備え、前記ゲート制御部は、前記第２認証部の認証結果を前記第２表示装置に送信してもよい。
【００１０】
前記第２表示装置は、前記第１表示装置よりも前記ゲートの出口に近い位置に設けられていてもよい。
【００１１】
前記情報取得部は、前記ゲートの入口および出口の間に設けられており、前記ビーム照射装置は、前記情報取得部よりも前記ゲートの入口に近い領域を含む前記第１領域に前記周波数ビームを照射してもよい。
【００１２】
前記第２認証部は、前記ユーザの認証結果を前記第１認証部に送信し、前記第１認証部は、前記ユーザの通行を許可する認証をしていない場合、前記第２認証部から受け取った前記ユーザの認証結果を前記ゲート制御部に送信し、既に前記ユーザの通行を許可する認証をしている場合、前記第２認証部から受け取った前記ユーザの認証結果を破棄してもよい。
【００１３】
前記第１認証部は、前記ユーザの通行を許可する認証結果を前記ゲート制御部に送信した場合、前記第２認証部に前記ユーザの認証を完了したことを通知し、前記第２認証部は、前記ユーザの認証完了の通知を受け取ったことに応じて、前記ユーザの認証結果の前記第１認証部への供給を停止してもよい。
【００１４】
前記ゲート制御部は、前記第１認証部による前記ユーザの認証結果に応じて前記ゲートを開放した場合、前記第２認証部に前記ゲートを開放したことを通知し、前記第２認証部は、前記ユーザの認証結果の通知の停止中に、前記ゲートを開放した通知を受け取ると、前記ユーザの認証結果の通知の停止を解除してもよい。
【００１５】
本発明の第２の態様においては、予め定められた第１領域に照射された周波数ビームを受信したユーザの通信端末から、前記周波数ビームに含まれているビーム識別情報と、前記通信端末に記憶された端末情報とを受信する情報受信部と、前記端末情報に基づいて前記ユーザを認証する第１認証部と、前記ユーザの認証結果に応じて開閉可能なゲートの開閉を制御するゲート制御部と、前記ユーザの認証結果を前記通信端末に通知する通知部とを備える、通信装置を提供する。
【００１６】
本発明の第３の態様においては、予め定められた第１領域にビーム識別情報を含む周波数ビームを照射するステップと、前記第１領域に照射された周波数ビームを受信したユーザが所持する通信端末から、前記周波数ビームに含まれているビーム識別情報と、前記通信端末に記憶された端末情報とを受信するステップと、前記端末情報に基づいて前記ユーザを認証するステップと、前記ユーザの認証結果を前記通信端末に通知するステップと、前記ユーザの認証結果に応じて開閉可能なゲートの開閉を制御するステップとを備える、タッチレスゲートの認証方法を提供する。
【発明の効果】
【００１７】
本発明によれば、タッチレスで入退場するシステムにおいて、システムの認証結果を入退場するユーザに気づかせることができるという効果を奏する。
【図面の簡単な説明】
【００１８】
【図１】本実施形態に係るタッチレスゲートシステム１０の構成例を示す。
【図２】本実施形態に係るタッチレスゲートシステム１０の動作フローの一例を示す。
【図３】本実施形態に係るタッチレスゲートシステム１０の変形例を示す。
【図４】本実施形態に係るタッチレスゲートシステム１０の動作フローの変形例を示す。
【発明を実施するための形態】
【００１９】
＜タッチレスゲートシステム１０の構成例＞
図１は、本実施形態に係るタッチレスゲートシステム１０の構成例を示す。タッチレスゲートシステム１０は、ユーザが所持する通信端末の端末情報に基づいてゲートの開閉を制御しつつ、端末情報の認証結果を当該ユーザに気づかせる。図１は、タッチレスゲートシステム１０が通路２０を通過しているユーザ３０の通信端末４０と通信する例を示す。タッチレスゲートシステム１０は、ゲート１１０と、ビーム照射装置１２０と、通信装置１３０とを備える。
【００２０】
ゲート１１０は、ユーザ３０が通過する通路２０に設けられている。ゲート１１０は、例えば、仕切り板、扉、ドア等が開閉可能に設けられている。これに代えて、または、これに加えて、ゲート１１０は、音および／または光等によって通行の可否を示してもよい。また、ゲート１１０は、表示部等によって通行の可否を示してもよい。ゲート１１０は、例えば、通行を許可された人が通過できるように開閉が制御されることが望ましい。図１は、通路２０の境界に壁２２および壁２４が設けられており、壁２２および壁２４の間にゲート１１０が設けられている例を示す。
【００２１】
ビーム照射装置１２０は、通路２０の一部を含む予め定められた第１領域５０にビーム識別情報を含む周波数ビームを照射する。第１領域５０は、通路２０上において、ゲート１１０に至るまでの部分の少なくとも一部を含む。例えば、第１領域５０は、通路２０の壁２２および壁２４で挟まれた部分の少なくとも一部を含む。第１領域５０は、通路２０を移動してゲート１１０を通過しようとしているユーザ３０が所持する通信端末４０に、ビーム照射装置１２０が周波数ビームを照射できるように予め設定される。図１は、ゲート１１０の壁２２および壁２４の間に第１領域５０が設けられている例を示す。
【００２２】
ビーム照射装置１２０は、このような第１領域５０に予め定められた周波数帯域の周波数ビームを照射する。ビーム照射装置１２０は、例えば、通信規格等で予め設定された周波数ビームを照射する。周波数ビームの周波数帯域は、数ＧＨｚから数十ＧＨｚの周波数を含む帯域である。例えば、周波数ビームの周波数帯域は、１０ＧＨｚから４０ＧＨｚの周波数を含む帯域でよく、２０ＧＨｚから３０ＧＨｚの周波数を含む帯域であってもよい。なお、局所的な領域で周波数ビームを用いることから、周波数ビームの周波数帯域は、より高い周波数帯域であることが望ましく、３０ＧＨｚから４０ＧＨｚの周波数を含む帯域であってもよく、また、４０ＧＨｚを超える周波数を含む帯域であってもよい。
【００２３】
ビーム照射装置１２０は、ビーム識別情報を含めて周波数ビームを照射する。ビーム識別情報は、照射した周波数ビームを識別するための情報である。例えば、ビーム識別情報は、照射した領域に応じて異なる情報を有する。図１の例の場合、ビーム照射装置１２０は、第１領域５０に対応する第１識別情報を含む周波数ビームを当該第１領域５０に照射する。なお、第１識別情報は、ビーム識別情報の一例である。
【００２４】
ビーム照射装置１２０は、例えば、予め定められた周期で周波数ビームを照射してよく、これに代えて、予め定められた時間スケジュールに応じて周波数ビームを照射してもよい。これに代えて、ビーム照射装置１２０は、周波数ビームを継続して照射してもよい。また、ビーム照射装置１２０は、通信装置１３０の動作に応じて、周波数ビームを照射する頻度を変更してもよい。例えば、ビーム照射装置１２０は、通信装置１３０が通信動作をしていない状態よりも、通信動作をしている状態の方が、周波数ビームを照射する頻度を高くする。また、ビーム照射装置１２０は、通信装置１３０からの要求に応じて、周波数ビームを照射してもよい。
【００２５】
通信装置１３０は、通路２０を移動するユーザ３０が所持する通信端末４０と通信する。また、通信装置１３０は、ゲート１１０と通信して、ゲート１１０の開閉を制御する。通信装置１３０の少なくとも一部は、一例として、サーバ等のコンピュータである。通信装置１３０は、情報受信部２１０と、記憶部２２０と、第１認証部２３０と、通知部２４０と、ゲート制御部２５０とを有する。
【００２６】
情報受信部２１０は、第１領域５０に照射された周波数ビームを受信した通信端末４０から、周波数ビームに含まれているビーム識別情報と、通信端末４０に記憶された端末情報とを受信する。情報受信部２１０は、ユーザ３０の通信端末４０からビーム識別情報および端末情報を継続して受信することが望ましい。通信端末４０は、例えば、第１領域５０において、ビーム照射装置１２０から周波数ビームを受信したことに応じて、第１領域５０に対応するビーム識別情報と当該通信端末４０に予め記憶された端末情報とを情報受信部２１０に送信する。
【００２７】
ここで、端末情報は、通信端末４０に対応する固有の情報である。端末情報は、例えば、ゲート１１０の通行を許可するか否かの情報を含む。端末情報は、一例として、入場チケットとしての機能を有する。また、端末情報は、ユーザ３０および／または通信端末４０を識別する情報を含む。
【００２８】
ビーム照射装置１２０および情報受信部２１０は、例えば、ユーザ３０の通信端末４０と通信可能な基地局の少なくとも一部である。この場合、通信端末４０は、通信規格等に則って、周波数ビームの受信に応じて、ビーム識別情報および端末情報を情報受信部２１０に送信してもよい。また、必要に応じて、ビーム照射装置１２０および情報受信部２１０と、通信端末４０とは、他の情報を授受してもよい。通信端末４０は、例えば、携帯電話、スマートフォン、ゲーム機器、タブレット型ＰＣ、小型ＰＣ、およびノート型ＰＣ等といった通信可能なデバイスである。
【００２９】
記憶部２２０は、受信したビーム識別情報および端末情報を記憶する。例えば、情報受信部２１０は、ビーム識別情報および端末情報を受信する毎に、当該情報を記憶部２２０に記憶する。また、記憶部２２０は、当該タッチレスゲートシステム１０がゲート１１０を開放したことに応じて、ユーザ３０がゲート１１０を通過した履歴を記憶してもよい。
【００３０】
記憶部２２０は、サーバ等が通信装置１３０として機能するＯＳ（Operating System）、およびアプリケーションソフトウェアの情報を格納してもよい。また、記憶部２２０は、当該アプリケーションソフトウェアの実行時に参照されるデータベースを含む種々の情報を格納してもよい。例えば、サーバ等のコンピュータは、記憶部２２０に記憶されたプログラムを実行することによって、情報受信部２１０、記憶部２２０、第１認証部２３０、通知部２４０、およびゲート制御部２５０の少なくとも一部として機能する。
【００３１】
記憶部２２０は、例えば、コンピュータ等のＢＩＯＳ（Basic Input Output System）等を格納するＲＯＭ（Read Only Memory）、および作業領域となるＲＡＭ（Random Access Memory）を含む。また、記憶部２２０は、ＨＤＤ（Hard Disk Drive）および／またはＳＳＤ（Solid State Drive）等の大容量記憶装置を含んでもよい。また、コンピュータは、ＧＰＵ（Graphics Processing Unit）等を更に備えてもよい。
【００３２】
また、記憶部２２０は、通信装置１３０が利用する設定値等の情報を格納してもよい。また、記憶部２２０は、通信装置１３０の動作の過程で生成する（または利用する）中間データ、算出結果、閾値、およびパラメータ等をそれぞれ格納してもよい。また、記憶部２２０は、通信装置１３０内の各部の要求に応じて、格納したデータを要求元に供給してもよい。更に、記憶部２２０は、タッチレスゲートシステム１０内の各部の要求に応じて、格納したデータを要求元に供給してもよい。
【００３３】
第１認証部２３０は、端末情報に基づいてユーザ３０を認証する。第１認証部２３０は、例えば、ユーザ３０の端末情報がゲート１１０の先への通行を許可する情報を含むか否かに応じて、当該ユーザ３０を認証する。また、第１認証部２３０は、ユーザ３０の端末情報が予め登録されているメンバ情報等に含まれる場合、当該ユーザ３０の通行が可能であることを認証してもよい。予め登録されているメンバ情報は、例えば、ゲート１１０を通過するために発行されたチケットを購入した購入者リスト等である。また、第１認証部２３０は、端末情報が電子マネー、プリペイドカード等の情報を含む場合に、当該ユーザ３０の通行可能を認証してもよい。
【００３４】
通知部２４０は、ユーザ３０の認証結果を通信端末４０に通知する。通知部２４０は、例えば、ビーム照射装置１２０および情報受信部２１０と共に、基地局の少なくとも一部を構成してもよい。この場合、通信端末４０は、周波数ビームの受信に応じて、通信装置１３０と種々の情報の送受信を開始してもよい。また、本実施形態において、通知部２４０が認証結果等の情報を通信端末４０に通知する例を説明するが、これに限定されることはない。例えば、ビーム照射装置１２０が、認証結果等の情報を周波数ビームに含めて第１領域５０に照射して、通知部２４０として機能してもよい。
【００３５】
ゲート制御部２５０は、ユーザ３０の認証結果に応じてゲート１１０の開閉を制御する。また、ゲート制御部２５０は、ビーム識別情報に対応するゲート１１０の開閉を制御する。ゲート制御部２５０は、例えば、ユーザ３０が認証された場合、当該ユーザ３０が所持する通信端末４０が送信したビーム識別情報に対応するゲート１１０を開ける。また、ゲート制御部２５０は、ユーザ３０が認証されない場合、当該ビーム識別情報に対応するゲート１１０を閉じるか、または閉じたままとする。
【００３６】
以上のタッチレスゲートシステム１０は、ユーザ３０をタッチレスで認証してゲート１１０を制御しつつ、認証結果を当該ユーザ３０の所持する通信端末４０に送信する。このようなタッチレスゲートシステム１０の動作フローについて次に説明する。
【００３７】
＜タッチレスゲートシステム１０の動作フロー＞
図２は、本実施形態に係るタッチレスゲートシステム１０の動作フローの一例を示す。本実施形態において、タッチレスゲートシステム１０が図２に示す動作フローを実行して、駅の改札等に用いられるタッチレスゲートとして機能する例を説明する。
【００３８】
まず、ビーム照射装置１２０は、ビーム識別情報を含む周波数ビームを第１領域５０に照射する（Ｓ２１０）。ビーム照射装置１２０は、例えば、継続して周波数ビームを照射する。これにより、ユーザ３０がゲート１１０に近づいて第１領域５０に入ると、ユーザ３０が所持する通信端末４０が第１識別情報を含む周波数ビームを受信する。通信端末４０は、ビーム照射装置１２０から周波数ビームを受信したことに応じて、ビーム識別情報と、当該通信端末４０に予め記憶された端末情報とを情報受信部２１０に送信する。
【００３９】
タッチレスゲートシステム１０は、このようにユーザ３０が第１領域５０に入ることを待つ。即ち、タッチレスゲートシステム１０は、通信端末４０からのビーム識別情報および端末情報を受信したか否かを確認する（Ｓ２２０）。タッチレスゲートシステム１０は、情報受信部２１０が通信端末４０からビーム識別情報および端末情報を受信するまで、Ｓ２２０の動作を繰り返す（Ｓ２２０：Ｎｏ）。
【００４０】
情報受信部２１０が通信端末４０からのビーム識別情報および端末情報を受信した場合（Ｓ２２０：Ｙｅｓ）、情報受信部２１０は、受信した情報を記憶部２２０に記憶する。また、情報受信部２１０は、端末情報を第１認証部２３０に供給してもよい。
【００４１】
次に、第１認証部２３０は、端末情報に基づいてユーザ３０を認証する（Ｓ２３０）。第１認証部２３０は、ユーザ３０がゲート１１０を通行可能であるか否かを認証する。第１認証部２３０は、ユーザ３０を認証した後、通知部２４０およびゲート制御部２５０に認証結果を送信する。第１認証部２３０は、端末情報と共に認証結果を通知部２４０に送信してもよい。また、第１認証部２３０は、認証結果を記憶部２２０に記憶してもよい。
【００４２】
通知部２４０は、ユーザ３０の認証結果を当該ユーザ３０の通信端末４０に通知する（Ｓ２４０）。通知部２４０は、例えば、端末情報に対応する通信端末４０に認証結果を通知する。この場合、通信端末４０は、認証結果を受け取ったことに応じて、当該認証結果を表示画面等に表示する。これに代えて、または、これに加えて、通信端末４０は、認証結果を受け取ったことに応じて、音、声、光、および振動のうち少なくとも１つを発生させる。これにより、ユーザ３０は、少なくとも、タッチレスゲートシステム１０による認証が完了したことがわかる。なお、通信端末４０からユーザ３０への認証完了の通知方法は、当該ユーザ３０によって予め設定可能であることが望ましい。この場合、認証結果も判別できるように設定可能であることがより望ましい。
【００４３】
また、ゲート制御部２５０は、認証結果に応じてゲート１１０の開閉を制御する（Ｓ２５０）。ゲート制御部２５０は、例えば、ユーザ３０がゲート１１０を通行可能であることの認証結果を受け取った場合、ゲートを開放する。また、ゲート制御部２５０は、ユーザ３０がゲート１１０を通行できないことの認証結果を受け取った場合、ゲート１１０を閉じるか、またはゲート１１０を閉じたままとする。ゲート制御部２５０は、ゲート１１０を開放しない場合、ゲート１１０の周辺にいる管理者、使用者、オペレータ等に通知してもよい。タッチレスゲートシステム１０は、処理を終了するか（Ｓ２６０：Ｙｅｓ）、または、処理を継続するためにＳ２２０に戻ってもよい（Ｓ２６０：Ｎｏ）。
【００４４】
以上のように、本実施形態に係るタッチレスゲートシステム１０は、ユーザ３０が所持する通信端末４０の端末情報と当該通信端末４０が受信したビーム識別情報とを用いることにより、タッチレスゲートとして機能することができる。即ち、ゲート１１０を通行できる情報を端末情報として通信端末４０に予め記録させたユーザ３０は、当該通信端末４０を所持して通路２０を歩くだけで、ゲート１１０を通過することができる。
【００４５】
なお、図２に示す動作フローは、ユーザ３０の認証結果を通信端末４０に通知してからゲート１１０の開閉を制御する例を説明したが、動作の順番はこれに限定されることはない。タッチレスゲートシステム１０は、ゲート１１０の開閉を制御してからユーザ３０の認証結果を通信端末４０に通知してもよい。また、タッチレスゲートシステム１０は、ゲート１１０の開閉の制御と、ユーザ３０の認証結果の通知とを並行に実行してもよい。
【００４６】
ここで、例えば、ゲート１１０が閉じている場合、ゲート１１０が閉じるタイミングによっては、時間の経過によって閉じたのか、ユーザ３０の認証結果として閉じたのかが判断がつかないことがある。また、ユーザ３０の前を歩く人が通過してゲート１１０が開放されたままの状態の場合、ユーザ３０がゲート１１０に移動するタイミングによっては、ユーザ３０の認証結果でゲート１１０が開放しているのか否かが判断つかないことがある。また、ユーザ３０自身が、通信端末４０に記憶されているか端末情報を把握していないこともある。
【００４７】
このような場合であっても、本実施形態に係る通知部２４０が通信端末４０に認証結果を送信するので、ユーザ３０は、タッチレスゲートシステム１０に自身が認証されたか否かを容易に気づくことができる。したがって、ユーザ３０は、認証結果に応じた対応を速やかに取ることができる。例えば、ユーザ３０は、ゲート１１０の通過が可能である認証結果に応じて、速やかにゲート１１０を通過することができる。また、ユーザ３０は、ゲート１１０の通過ができない認証結果に応じて、ゲート１１０には移動せずに、ゲート１１０を通過するための操作、問い合わせ、チケット購入等の対応動作等に速やかに移行できる。
【００４８】
なお、本実施形態に係るタッチレスゲートシステム１０において、通信端末４０が認証結果をユーザ３０に伝達する例を説明したが、これに限定されることはない。例えば、図１に示すように、タッチレスゲートシステム１０は、ユーザ３０の認証結果を表示する第１表示装置１４０を更に備えてもよい。第１表示装置１４０は、例えば、ゲート１１０の周囲、壁２２、または壁２４等に設けられる。
【００４９】
この場合、ゲート制御部２５０は、ユーザ３０の認証結果を第１表示装置１４０に送信する。これに代えて、通知部２４０が第１表示装置１４０にユーザ３０の認証結果を送信してもよい。これにより、ユーザ３０は、通信端末４０を見なくても、自身の認証結果を確認することができる。例えば、ユーザ３０は、所持する通信端末４０が振動したタイミングで第１表示装置１４０を見ることにより、自身の認証結果を確認することができる。
【００５０】
なお、第１認証部２３０またはゲート制御部２５０は、ゲートを開けたことに応じて、課金システムおよび／または入場管理システム等に、ユーザ３０の認証とゲートの通過の情報を通知してよい。課金システムおよび／または入場管理システム等は、タッチレスゲートシステム１０の外部等に設けられていてよく、ネットワーク等で接続されていることが望ましい。これにより、ユーザ３０がゲート１１０を通過することに応じて、ユーザ３０への課金および入場者の把握等を円滑に実行することができる。
【００５１】
以上のタッチレスゲートシステム１０は、１つのゲート１１０を備える例を説明したが、これに限定されることはない。タッチレスゲートシステム１０は、複数の通路２０のそれぞれに対応する複数のゲート１１０を備えてもよい。この場合、ビーム照射装置１２０は、それぞれの通路２０の一部を含む複数の領域に、領域毎に異なるビーム識別情報を含む周波数ビームを照射する。
【００５２】
即ち、ビーム照射装置１２０は、複数のゲート１１０のそれぞれに対応して異なるビーム識別情報を含む周波数ビームを、複数のゲート１１０のそれぞれに対応する複数の領域に照射する。例えば、ビーム照射装置１２０は、第１のゲートに通じる第１の通路の一部を含む第１領域に、第１のビーム識別情報を含む周波数ビームを照射する。また、ビーム照射装置１２０は、第２のゲートに通じる第２の通路の一部を含む第２領域に、第２のビーム識別情報を含む周波数ビームを照射する。
【００５３】
そして、タッチレスゲートシステム１０は、ユーザ３０が複数の領域のいずれかに入った場合に、当該ユーザ３０の端末情報に基づき、当該ユーザ３０が入った領域に対応するゲート１１０を制御しつつ、当該ユーザ３０の通信端末４０に認証結果を送信する。このように、タッチレスゲートシステム１０は、異なるビーム識別情報を用いることにより、ゲート１１０毎にユーザ３０を認証してゲート１１０のそれぞれを独立に制御することができるので、より多くのユーザ３０に対応するタッチレスゲートとして機能できる。
【００５４】
以上の本実施形態に係るタッチレスゲートシステム１０は、１または複数のゲート１１０に対応して動作する例を説明したが、これに限定されることはない。タッチレスゲートシステム１０は、非タッチレスゲート等と共存して動作してもよい。例えば、既に設けられている非タッチレスゲートに、タッチレスゲートシステム１０を追加して、ゲートを共有するように設けられてもよい。
【００５５】
この場合、非タッチレスゲートの認証とタッチレスゲートシステム１０の認証とがそれぞれ動作することになるので、ゲート１１０の開閉が矛盾した動作となることがある。そこで、本実施形態に係るタッチレスゲートシステム１０は、２つのシステムの認証結果に基づき、共通のゲート１１０を矛盾なく動作させつつ、少なくとも一方の認証結果をユーザに通知する。このようなタッチレスゲートシステム１０について次に説明する。
【００５６】
＜タッチレスゲートシステム１０の変形例＞
図３は、本実施形態に係るタッチレスゲートシステム１０の変形例を示す。本変形例のタッチレスゲートシステム１０において、図１に示された本実施形態に係るタッチレスゲートシステム１０の動作と略同一のものには同一の符号を付け、説明を省略する。変形例のタッチレスゲートシステム１０は、ゲート１１０が情報取得部３１０を有し、通信装置１３０が第２認証部３２０を更に備える。
【００５７】
情報取得部３１０は、ユーザ３０が提示する被認証アイテムに含まれている被認証情報を取得する。被認証アイテムは、例えば、ＩＣカード、プリペイドカード、クレジットカード、乗車券、入場券、定期券等である。被認証アイテムは、接触型または非接触型のカード等でよい。例えば、ユーザ３０が被認証アイテムを情報取得部３１０に接触するか、近接させることで、当該情報取得部３１０は、磁気的または電気的に記録された被認証情報を取得する。これに代えて、情報取得部３１０は、ユーザ３０の指紋、声紋、虹彩、静脈、ジェスチャー等から被認証情報を取得してもよい。
【００５８】
情報取得部３１０は、ゲート１１０の入口および出口の間に設けられている。ここで、ゲート１１０の入口は、例えば、ユーザ３０がゲート１１０へと移動するために通過する通路２０上における壁２２および壁２４の端部の位置である。また、ゲート１１０の出口は、ゲート１１０を通過した後に通過する通路上の壁２２および壁２４の反対側の端部の位置である。
【００５９】
情報取得部３１０は、第１領域５０よりもゲート１１０に近い位置に設けられていることが望ましい。この場合、ビーム照射装置１２０は、情報取得部３１０よりもゲート１１０の入口に近い領域を含む第１領域５０に周波数ビームを照射する。これにより、ユーザ３０が被認証アイテムを用いて認証する場合でも、情報取得部３１０が被認証情報を取得するよりも早くユーザ３０は第１領域５０に入り、情報受信部２１０はビーム識別情報および端末情報を受信する。
【００６０】
第２認証部３２０は、被認証情報に基づいてユーザ３０を認証する。第２認証部３２０は、第１認証部２３０と同様に、被認証情報がゲート１１０の先への通行を許可する情報を含むか否か等に応じて、ユーザ３０を認証する。また、第２認証部３２０は、認証結果を第１認証部２３０に送信する。第１認証部２３０は、当該第１認証部２３０による認証を完了していない場合、第２認証部３２０から受け取った認証結果をゲート制御部２５０に送信する。
【００６１】
これにより、ゲート制御部２５０は、第１認証部２３０および第２認証部３２０のいずれかの認証結果を受け取る。そして、ゲート制御部２５０は、第１認証部２３０および第２認証部３２０の認証結果に基づき、ゲート１１０の開閉を制御する。このようなゲート制御部２５０の動作を含めた、本変形例のタッチレスゲートシステム１０の動作を次に説明する。
【００６２】
＜タッチレスゲートシステム１０の動作フローの変形例＞
図４は、本実施形態に係るタッチレスゲートシステム１０の動作フローの変形例を示す。図４に示すタッチレスゲートシステム１０の動作フローの変形例は、図３に示すタッチレスゲートシステム１０の動作フローの一例である。図４の動作フローにおいて、図２に示された本実施形態に係るタッチレスゲートシステム１０の動作フローと略同一のものには同一の符号を付け、説明を省略する。
【００６３】
まず、ユーザ３０が通信端末４０を所持せずに、被認証アイテムを用いて非タッチレスゲートを用いる場合を説明する。即ち、情報受信部２１０が通信端末４０からビーム識別情報および端末情報を受信しない場合において（Ｓ２２０：Ｎｏ）、タッチレスゲートシステム１０は、情報取得部３１０がユーザ３０の被認証アイテムから被認証情報を取得したか否かを確認する（Ｓ４１０）。
【００６４】
情報取得部３１０が被認証情報を取得していない場合（Ｓ４１０：Ｎｏ）、タッチレスゲートシステム１０はＳ２２０に戻る。タッチレスゲートシステム１０は、情報受信部２１０の受信動作または情報取得部３１０の取得動作が発生するまでＳ２２０およびＳ４１０を繰り返す。情報取得部３１０が被認証情報を取得した場合（Ｓ４１０：Ｙｅｓ）、第２認証部３２０は、被認証情報に基づいてユーザ３０を認証する（Ｓ４２０）。第２認証部３２０は、ユーザ３０を認証すると、ユーザ３０の認証結果を第１認証部２３０に送信する。
【００６５】
そして、第１認証部２３０は、ユーザ３０の認証をしていないので、第２認証部３２０によるユーザ３０の認証結果をゲート制御部２５０に通知する。このように、ユーザ３０がタッチレスゲートを用いない場合、ゲート制御部２５０は、第１認証部２３０の認証結果に代えて、第２認証部３２０の認証結果を受け取ることになる。この場合、ゲート制御部２５０は、第２認証部３２０の認証結果に基づき、ゲート１１０の開閉を制御する（Ｓ２５０）。
【００６６】
ゲート制御部２５０の制御動作は、第１認証部２３０の認証結果を受け取った場合の制御動作と同様の動作でよい。ゲート制御部２５０は、例えば、ユーザ３０がゲート１１０を通行可能であることの認証結果を第２認証部３２０から受け取った場合、ゲートを開放する。また、ゲート制御部２５０は、ユーザ３０がゲート１１０を通行できないことの認証結果を第２認証部３２０から受け取った場合、ゲート１１０を閉じるか、またはゲート１１０を閉じたままとする。
【００６７】
次に、ユーザ３０が通信端末４０を所持して第１領域５０に入る場合を説明する。この場合、ユーザ３０が第１領域５０に入ったことに応じて、情報受信部２１０は、通信端末４０からのビーム識別情報および端末情報を受信する（Ｓ２２０：Ｙｅｓ）。そして、第１認証部２３０は、端末情報に基づいてユーザ３０を認証し（Ｓ２３０）、通知部２４０は、ユーザ３０の認証結果を当該ユーザ３０の通信端末４０に通知する（Ｓ２４０）。
【００６８】
これにより、図２の動作フローで説明したように、通信端末４０はユーザ３０の認証結果を表示し、ユーザ３０は認証結果を確認できる。ユーザ３０が非タッチレスゲートを利用せず、情報取得部３１０が被認証情報を取得しない場合（Ｓ４３０：Ｎｏ）、ゲート制御部２５０は、タッチレスゲートの認証結果に応じてゲート１１０の開閉を制御する（Ｓ２５０）。ゲート制御部２５０の制御については、図２で既に説明したのでここでは説明を省略する。
【００６９】
通信端末４０が認証結果を表示したにもかかわらず、ユーザ３０が被認証アイテムを情報受信部２１０に提示した場合、情報取得部３１０は、被認証情報を取得することになる（Ｓ４３０：Ｙｅｓ）。この場合、第２認証部３２０は、被認証情報に基づいてユーザ３０を認証し、認証結果を第１認証部２３０に送信する（Ｓ４４０）。ここで、第１認証部２３０は、既にユーザ３０の通行を許可する認証をしている場合（Ｓ４５０：Ｙｅｓ）、第２認証部３２０から受け取ったユーザ３０の認証結果を破棄する（Ｓ４６０）。そして、第１認証部２３０は、当該第１認証部２３０による認証結果をゲート制御部２５０に送信する。
【００７０】
ゲート制御部２５０は、第１認証部２３０の認証結果に基づき、ゲート１１０の開閉を制御する（Ｓ２５０）。この場合、第１認証部２３０の認証結果は、ユーザ３０の通行を許可する認証なので、ゲート制御部２５０は、ゲート１１０を開放することになる。例えば、タッチレスゲート（即ち、第１認証部２３０）の認証結果がユーザ３０の通行を許可する認証であれば、非タッチレスゲート（即ち、第２認証部３２０）の認証結果にかかわらず、ゲート制御部２５０は、ゲート１１０を開放する。
【００７１】
一方、第１認証部２３０は、ユーザ３０の通行を許可する認証をしていない場合（Ｓ４５０：Ｎｏ）、第２認証部３２０から受け取ったユーザ３０の認証結果をゲート制御部２５０に送信する。この場合、ゲート制御部２５０は、第２認証部３２０の認証結果に基づき、ゲート１１０の開閉を制御する（Ｓ２５０）。例えば、タッチレスゲートによる認証結果がユーザ３０の通行を許可しない認証であっても、非タッチレスゲートの認証結果がユーザ３０の通行を許可する認証であれば、ゲート制御部２５０は、ゲート１１０を開放する。
【００７２】
以上のように、本変形例に係るタッチレスゲートシステム１０は、情報取得部３１０、第２認証部３２０、およびゲート制御部２５０が非タッチレスゲートとして機能しつつ、タッチレスゲートとゲート１１０を共有して矛盾なく機能することができる。このように、タッチレスゲートシステム１０は、非タッチレスゲートに組み込んで構成することもできるので、例えば、既存の設備等を有効に活用することもできる。
【００７３】
以上の本実施形態に係るタッチレスゲートシステム１０は、第２認証部３２０が被認証情報に基づいてユーザ３０を認証する例を説明した。この場合、第２認証部３２０の認証結果をユーザ３０に通知してもよい。例えば、第１認証部２３０は、第２認証部３２０によるユーザ３０の認証結果を受け取ったことに応じて、当該認証結果を通知部２４０に送信する。これにより、第１認証部２３０は、第２認証部３２０の認証結果を採用してゲート制御部２５０に送信したか、または、第１認証部２３０の認証結果を採用して第２認証部３２０の認証結果を破棄したかの情報を加えて、認証結果を通知部２４０に供給することができる。
【００７４】
このようにして、通知部２４０は、ユーザ３０の通信端末４０に、第１認証部２３０の認証結果および／または第２認証部３２０の認証結果を通知することができるので、ユーザ３０は、自身の認証結果の詳細について容易に確認することができる。なお、タッチレスゲートシステム１０は、第２認証部３２０の認証結果を通信端末４０に通知することに加え、または、これに代えて、第２認証部３２０の認証結果を表示装置等に表示させてもよい。例えば、タッチレスゲートシステム１０は、第２認証部３２０の認証結果を第１表示装置１４０に表示させてもよく、これに代えて、第１表示装置１４０とは異なる第２表示装置３３０に表示させてもよい。
【００７５】
図３は、このような第２認証部３２０の認証結果を表示する第２表示装置３３０をタッチレスゲートシステム１０が備える例を示す。この場合、ゲート制御部２５０は、第２認証部３２０の認証結果を第２表示装置３３０に送信する。これに代えて、通知部２４０が第２認証部３２０の認証結果を第２表示装置３３０に通知してもよい。
【００７６】
なお、第２表示装置３３０は、第１表示装置１４０よりもゲート１１０の出口に近い位置に設けられていることが望ましい。これにより、ユーザ３０は、第１認証部２３０による認証結果を第１表示装置１４０で確認してから、第２認証部３２０による認証結果を第２表示装置３３０で確認できる。例えば、タッチレスゲートシステム１０は、第１認証部２３０によるユーザ３０が通行できない認証結果を第１表示装置１４０でユーザ３０が確認した後、当該ユーザ３０が通路２０を進み、第２認証部３２０の認証へと試みる動作を円滑に進めることができる。
【００７７】
以上の本実施形態に係るタッチレスゲートシステム１０は、第１認証部２３０がユーザ３０の通行可能を認証した場合、第２認証部３２０から受け取った認証結果を破棄する例を説明したが、これに限定されることはない。例えば、第１認証部２３０がユーザ３０の通行可能を認証した場合、第２認証部３２０から第１認証部２３０への認証結果の送信を停止させてもよい。
【００７８】
例えば、第１認証部２３０は、ユーザ３０の通行を許可する認証結果をゲート制御部２５０に送信した場合、第２認証部３２０にユーザ３０の認証を完了したことを通知する。そして、第２認証部３２０は、ユーザ３０の認証完了の通知を受け取ったことに応じて、ユーザ３０の認証結果の第１認証部２３０への供給を停止する。これにより、タッチレスゲートシステム１０は、第２認証部３２０から第１認証部２３０への無駄な認証結果の送信を防止できる。
【００７９】
なお、この場合、ゲート制御部２５０は、第１認証部２３０によるユーザ３０の認証結果に応じてゲート１１０を開放した場合、第２認証部３２０にゲート１１０を開放したことを通知する。そして、第２認証部３２０は、ユーザ３０の認証結果の通知の停止中に、ゲート１１０を開放した通知を受け取ると、ユーザ３０の認証結果の通知の停止を解除する。これにより、タッチレスゲートシステム１０は、次のユーザ３０の認証動作を矛盾なく継続することができる。
【００８０】
以上のように、本実施形態に係るタッチレスゲートシステム１０は、ユーザ３０をタッチレスおよび／または非タッチレスで認証し、認証結果に応じて矛盾なく共通のゲート１１０の開閉を制御できる。したがって、例えば、タッチレスゲートシステム１０が外部の課金システム、入場管理システム等と接続されている場合、当該システムによる二重課金および／またはユーザ３０のダブルカウント等の矛盾が発生することを防止できる。
【００８１】
以上の本実施形態に係るタッチレスゲートシステム１０は、第１認証部２３０がユーザの通行の許可を認証した場合、第２認証部３２０による認証結果を採用しない例を説明したが、これに限定されることはない。これに代えて、タッチレスゲートシステム１０は、第２認証部３２０の認証結果を優先させてもよい。例えば、タッチレスゲートシステム１０は、第１認証部２３０がユーザの通行の許可を認証し、更に、第２認証部３２０がユーザの通行の許可を認証した場合、第２認証部３２０の認証結果を採用してゲート１１０を開放する。
【００８２】
この場合、ユーザ３０はゲート１１０を通行できることに変わりはないが、通行によって課金等が発生する場合、請求先等が異なる場合が発生する。そこで、タッチレスゲートシステム１０は、第１認証部２３０および第２認証部３２０の認証結果のいずれを優先させるか、ユーザ３０等により予め設定されてもよい。また、ユーザ３０がゲート１１０を通行した後に、通信端末４０の通知に応じて、通信端末４０を操作し、いずれの認証結果で通行したかを選択できてもよい。この場合、タッチレスゲートシステム１０は、選択または採用した認証結果に応じて、外部の対応する課金システム等に通知する。
【００８３】
なお、以上の本実施形態に係るタッチレスゲートシステム１０は、ゲート１１０、ビーム照射装置１２０、通信装置１３０、第１表示装置１４０、および第２表示装置３３０等で構成される例を説明したが、これに限定されることはない。例えば、ゲート１１０、第１表示装置１４０、情報取得部３１０、および第２表示装置３３０は、１つの装置の少なくとも一部として構成されていてもよい。
【００８４】
また、ビーム照射装置１２０、情報受信部２１０、および通知部２４０は、例えば、基地局の一部として構成されていてもよい。また、第１認証部２３０および第２認証部３２０は、認証システムの少なくとも一部として構成されていてもよい。また、ゲート制御部２５０は、ゲート制御システムの少なくとも一部として構成されていてもよい。即ち、タッチレスゲートシステム１０は、ゲート装置、基地局、認証システム、およびゲート制御システムによって構成されていてもよい。この場合、各システムの少なくとも一部は、例えば、それぞれサーバ等のコンピュータで構成される。
【００８５】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００８６】
１０  タッチレスゲートシステム
２０  通路
２２  壁
２４  壁
３０  ユーザ
４０  通信端末
５０  第１領域
１１０  ゲート
１２０  ビーム照射装置
１３０  通信装置
１４０  第１表示装置
２１０  情報受信部
２２０  記憶部
２３０  第１認証部
２４０  通知部
２５０  ゲート制御部
３１０  情報取得部
３２０  第２認証部
３３０  第２表示装置
【図１】
2020135803.tif 000003
【図２】
2020135803.tif 000004
【図３】
2020135803.tif 000005
【図４】
2020135803.tif 000006